【手続補正書】
【提出日】平成21年12月4日(2009.12.4)
【手続補正１】
【補正対象書類名】特許請求の範囲
【補正対象項目名】全文
【補正方法】変更
【補正の内容】
【特許請求の範囲】
【請求項１】
哺乳動物の関節におけるヒアリン軟骨欠損を修復するための薬物の製造におけるマトリクスの使用であって、
該マトリクスが多糖とからみ合ったポリエステルを含み、かつ、膜を形成する該使用。
【請求項２】
該薬物が、さらに、骨間葉系幹細胞を含む請求項１記載のマトリクスの使用。
【請求項３】
該膜が少なくとも０.５ｍｍないし３ｍｍの厚さを有する請求項１記載のマトリクスの使用。
【請求項４】
該ポリエステルが、ポリ乳酸、ポリグリコール酸、およびポリ乳酸およびポリグリコール酸を含むコポリマーよりなる群から選択される請求項１ないし３のいずれか１項に記載のマトリクスの使用。
【請求項５】
該ポリエステルがポリ乳酸およびポリグリコール酸を含むコポリマーである請求項１ないし３のいずれか１項に記載のマトリクスの使用。
【請求項６】
該ポリ乳酸およびポリグリコール酸が５：１ないし２：１の重量比である請求項５記載のマトリクスの使用。
【請求項７】
該ポリ乳酸およびポリグリコール酸が３：１の重量比である請求項５記載のマトリクスの使用。
【請求項８】
該多糖が、ヒアルロン酸、コンドロイチン硫酸、ダーマタン硫酸、ケラタン硫酸、ヘパラン、ヘパラン硫酸、デキストラン、デキストラン硫酸、アルギン酸、およびそれらの組合せよりなる群から選択される請求項１ないし３のいずれか１項に記載のマトリクスの使用。
【請求項９】
該多糖がヒアルロン酸である請求項１ないし３のいずれか１項に記載のマトリクスの使用。
【請求項１０】
該ポリエステルおよび多糖が９９：１ないし１：９９の重量比である請求項１ないし３のいずれか１項に記載のマトリクスの使用。
【請求項１１】
該ポリエステルおよび多糖が９：１ないし１：９の重量比である請求項１ないし３のいずれか１項に記載のマトリクスの使用。
【請求項１２】
該薬物が、さらに、膜を欠損の部位に固定することための少なくとも１の締め具を含む請求項１ないし３のいずれか１項に記載のマトリクスの使用。
【請求項１３】
該少なくとも１つの締め具が、生体適合性の接着剤、縫糸、組織融合、ダーツ、ステープル、スクリュー、および鋲よりなる群から選択される請求項１２記載のマトリクスの使用。
【請求項１４】
該生体適合性の接着剤がフィブリン接着剤である請求項１３記載のマトリクスの使用。
【請求項１５】
膜が、さらに、ＴＧＦ−β、骨形成因子、増殖分化因子、ＡＤＭＰ−１、繊維芽細胞増殖因子、ヘッジホッグタンパク質、インスリン様増殖因子、血小板由来増殖因子、インターロイキン、コロニー刺激因子およびアクチビンよりなる群から選択される少なくとも１の増殖因子を含む請求項１ないし３のいずれか１項に記載のマトリクスの使用。
【請求項１６】
膜が、さらに、少なくとも１のコラーゲンを含む請求項１ないし３のいずれか１項に記載のマトリクスの使用。
【請求項１７】
多糖とからみ合ったポリエステルを含むマトリクス、および該マトリクスと接触する一定量の間葉系幹細胞を含む、哺乳動物の関節におけるヒアリン軟骨の欠損を修復する剤。
【請求項１８】
該間葉系幹細胞が自家移植する骨間葉系幹細胞である請求項１７記載の剤。
【請求項１９】
該マトリクスが膜を形成する請求項１７記載の剤。
【請求項２０】
該膜が少なくとも０.５ｍｍないし３ｍｍの厚さを有する請求項１９記載の剤。
【請求項２１】
該ポリエステルが、ポリ乳酸、ポリグリコール酸、およびポリ乳酸およびポリグリコール酸を含むコポリマーよりなる群から選択される請求項１７ないし２０のいずれか１項に記載の剤。
【請求項２２】
該ポリエステルがポリ乳酸およびポリグリコール酸を含むコポリマーである請求項１７ないし２０のいずれか１項に記載の剤。
【請求項２３】
該ポリ乳酸およびポリグリコール酸が５：１ないし２：１の重量比である請求項２２記載の剤。
【請求項２４】
該ポリ乳酸およびポリグリコール酸が３：１の重量比である請求項２２記載の剤。
【請求項２５】
該多糖が、ヒアルロン酸、コンドロイチン硫酸、ダーマタン硫酸、ケラタン硫酸、ヘパラン、ヘパラン硫酸、デキストラン、デキストラン硫酸、アルギン酸、およびそれらの組合せよりなる群から選択される請求項１７ないし２０のいずれか１項に記載の剤。
【請求項２６】
該多糖がヒアルロン酸である請求項１７ないし２０のいずれか１項に記載の剤。
【請求項２７】
該ポリエステルおよび多糖が９９：１ないし１：９９の重量比である請求項１７ないし２０のいずれか１項に記載の剤。
【請求項２８】
該ポリエステルおよび多糖が９：１ないし１：９の重量比である請求項１７ないし２０のいずれか１項に記載の剤。
【請求項２９】
さらに、膜を欠損の部位に固定するための少なくとも１の締め具を含む請求項１７ないし２０のいずれか１項に記載の剤。
【請求項３０】
該少なくとも１つの締め具が、生体適合性の接着剤、縫糸、組織融合、ダーツ、ステープル、スクリュー、および鋲よりなる群から選択される請求項２９記載の剤。
【請求項３１】
該生体適合性の接着剤がフィブリン接着剤である請求項３０記載の剤。
【請求項３２】
該マトリクスが、さらに、少なくとも１の増殖因子を含む請求項１７ないし２０のいずれか１項に記載の剤。
【請求項３３】
該増殖因子が、ＴＧＦ−β、骨形成因子、増殖分化因子、ＡＤＭＰ−１、繊維芽細胞増殖因子、ヘッジホッグタンパク質、インスリン様増殖因子、血小板由来増殖因子、インターロイキン、コロニー刺激因子およびアクチビンよりなる群から選択される請求項３２記載の剤。
【請求項３４】
該マトリクスが、さらに、少なくとも１のコラーゲンを含む請求項１７ないし２０のいずれか１項に記載の剤。
【請求項３５】
多糖とからみ合ったポリエステルを含むマトリクスを調製し、該マトリクスから膜を形成し、ついで、該膜と骨間葉系幹細胞とを接触させることを含む、哺乳動物の関節におけるヒアリン軟骨欠損を修復するための薬物の製造方法。
【請求項３６】
該骨間葉系幹細胞が、自家移植する骨間葉系幹細胞である請求項３５記載の方法。
【請求項３７】
該膜が少なくとも０.５ｍｍないし３ｍｍの厚さを有する請求項３５記載の方法。
【請求項３８】
該ポリエステルが、ポリ乳酸、ポリグリコール酸、およびポリ乳酸およびポリグリコール酸を含むコポリマーよりなる群から選択される請求項３５ないし３７のいずれか１項に記載の方法。
【請求項３９】
該ポリエステルがポリ乳酸およびポリグリコール酸を含むコポリマーである請求項３５ないし３７のいずれか１項に記載の方法。
【請求項４０】
該ポリ乳酸およびポリグリコール酸が５：１ないし２：１の重量比である請求項３９記載の方法。
【請求項４１】
該ポリ乳酸およびポリグリコール酸が３：１の重量比である請求項３９記載の方法。
【請求項４２】
該多糖が、ヒアルロン酸、コンドロイチン硫酸、ダーマタン硫酸、ケラタン硫酸、ヘパラン、ヘパラン硫酸、デキストラン、デキストラン硫酸、アルギン酸、およびそれらの組合せよりなる群から選択される請求項３５ないし３７のいずれか１項に記載の方法。
【請求項４３】
該多糖がヒアルロン酸である請求項３５ないし３７のいずれか１項に記載の方法。
【請求項４４】
該ポリエステルおよび多糖が９９：１ないし１：９９の重量比である請求項３５ないし３７のいずれか１項に記載の方法。
【請求項４５】
該ポリエステルおよび多糖が９：１ないし１：９の重量比である請求項３５ないし３７のいずれか１項に記載の方法。
【請求項４６】
さらに、少なくとも１の締め具を膜に適用することを含む請求項３５ないし３７のいずれか１項に記載の方法。
【請求項４７】
該少なくとも１つの締め具が、生体適合性の接着剤、縫糸、組織融合、ダーツ、ステープル、スクリュー、および鋲よりなる群から選択される請求項４６記載の方法。
【請求項４８】
該生体適合性の接着剤がフィブリン接着剤である請求項４７記載の方法。
【請求項４９】
該マトリクスが、さらに、少なくとも１の増殖因子を含む請求項３５ないし３７のいずれか１項に記載の方法。
【請求項５０】
該増殖因子が、ＴＧＦ−β、骨形成因子、増殖分化因子、ＡＤＭＰ−１、繊維芽細胞増殖因子、ヘッジホッグタンパク質、インスリン様増殖因子、血小板由来増殖因子、インターロイキン、コロニー刺激因子およびアクチビンよりなる群から選択される請求項４９記載の方法。
【請求項５１】
該マトリクスが、さらに、少なくとも１のコラーゲンを含む請求項３５ないし３７のいずれか１項に記載の方法。